(57)【要約】  本発明は、サイドウォール（３）及びマーキング（５）を有するゴム材料で作られたタイヤに関する。マーキング（５）は、サイドウォール（３）内に設けられた凹部（７）の中に位置している。タイヤは、１平方ミリメートル（ｍｍ2）当たり少なくとも５本のリブに等しい密度で分布して設けられた複数のリブ（１１）を含むテキスチャ（９）を有し、各リブは、０．０００７ｍｍ2〜０．０６ｍｍ2の平均断面積を有すると共に／或いはテキスチャは、複数の実質的に相互に平行なサイプ（１３）を含み、サイプのピッチは、多くとも０．５ｍｍであり、各サイプは、０．０３ｍｍ〜０．３ｍｍの平均幅を有する。テキスチャ（９）は、凹部（７）内のマーキング（５）を部分的に又は全体的に包囲している。
2016521661.tif 000002
【特許請求の範囲】
【請求項１】
サイドウォール（３）及びマーキング（５）を有するゴム材料で作られたタイヤであって、前記マーキング（５）は、前記サイドウォール（３）中に引っ込んだ状態で設けられたハウジング（７）内に位置決めされ、前記タイヤは、１平方ミリメートル（ｍｍ2）当たり少なくとも５本のストランドに等しい密度で分布して設けられた複数のストランド（１１）を含むテキスチャ（９）を有し、各ストランドは、０．０００７ｍｍ2〜０．０６ｍｍ2の平均断面積を有すると共に／或いは前記テキスチャは、複数の実質的に相互に平行な板状体（１３）を含み、前記板状体の相互間隔は、多くとも０．５ｍｍであり、各板状体は、０．０３ｍｍ〜０．３ｍｍの平均幅を有する、タイヤにおいて、前記テキスチャ（９）は、前記ハウジング（７）内の前記マーキング（５）の全て又は一部を包囲している、タイヤ。
【請求項２】
前記テキスチャ（９）の前記ストランド又は前記テキスチャ（９）の前記板状体は、前記タイヤの前記サイドウォールと面一をなして終端している、請求項１記載のタイヤ。
【請求項３】
前記テキスチャ（９）の前記ストランド又は前記テキスチャ（９）の前記板状体は、前記ハウジング内に引っ込んだ状態で設けられている、請求項１記載のタイヤ。
【請求項４】
前記テキスチャ（９）の前記ストランド又は前記テキスチャ（９）の前記板状体は、前記タイヤの前記サイドウォールを越えて突き出ている、請求項１記載のタイヤ。
【請求項５】
前記テキスチャ（９）の前記ストランドのうちの一部又は前記テキスチャ（９）の前記板状体のうちの一部は、前記タイヤの前記サイドウォールを越えて突き出ており、前記ストランドのうちの別の一部又は前記板状体のうちの別の一部は、前記ハウジング内に引っ込んだ状態で設けられている、請求項１記載のタイヤ。
【発明の詳細な説明】
【技術分野】
【０００１】
本発明は、マーキング及びこのマーキングを包囲した特別のテキスチャを有する自動車用のタイヤに関する。
【背景技術】
【０００２】
タイヤサイドウォールは、技術的及び法的な情報を提供し又は消費者が製品の出所を識別することができるようになった非常に多くのマーキングを備えている。
【０００３】
タイヤサイドウォール上のこれらマーキングの視認性及び可読性を向上させる試みが常時なされている。
【０００４】
欧州特許第２２０４２０６号明細書は、タイヤサイドウォールの外面上に存在するテキスチャを記載している。このテキスチャは、このテキスチャ中に一様に分布して配置された複数のストランドを有する。
【０００５】
米国特許出願公開第２００８／０２８３１６９号明細書は、サイドウォール及びこのサイドウォール上に形成されたマーキングを有するゴム材料で作られているタイヤを記載している。マーキングは、サイドウォール中に引っ込んだ状態で設けられたハウジング内に位置決めされている。このマーキングは、これがタイヤサイドウォール上で良好な視認性を提供するようハウジングの底部から突き出ている。
【０００６】
しかしながら、走行中、多量の泥又はダストがハウジング内に詰まった状態になる場合があり、それによりマーキングとハウジングの底部とのコントラストが低減する。
【０００７】
したがって、タイヤが走行しているときにハイコントラストのマーキングをタイヤのサイドウォール上に保つことができるようにする解決策を提案することが要望されている。
【０００８】
定義
【０００９】
「タイヤ」は、内圧を受けるにせよ受けないにせよいずれにせよ、あらゆる形式の弾性タイヤを意味している。
【００１０】
タイヤの「トレッド」は、側面及び２つの主要な表面によって境界付けられた或る量のゴム材料を意味しており、２つの主要表面のうちの一方は、タイヤが走行しているときに路面に接触するようになっている。
【００１１】
タイヤの「サイドウォール」は、タイヤトレッドとこのタイヤのビードとの間に位置するタイヤの側面を意味している。
【００１２】
タイヤサイドウォール上の「マーキング」は、このサイドウォール上に設けられていて、技術的及び法的情報を提供し又は消費者が製品の出所を識別することができるようにするようになった標識を意味している。
【００１３】
「テキスチャ」は、複数の要素の組織化された配列体を意味しており、この配列体の要素の全て又はこれら要素のうちの一部は、１つの単一基本要素、例えばストランド又は板状体を繰り返したものである。
【００１４】
「ストランド」は、高さがこのストランドの平均断面積と同一の表面積を有する円板の直径の少なくとも２倍に等しい糸状要素を意味している。
【００１５】
ストランドの「平均断面積」は、ストランドの基部からこのストランドの先端まで一定間隔で測定された断面積の平均値を意味している。
【００１６】
「板状体」は、高さの少なくとも２倍に等しい長さを有する細長いストランドを意味している。
【００１７】
板状体の「平均幅」は、板状体の基部からこの板状体の先端まで一定間隔で測定された幅の平均値を意味している。
【先行技術文献】
【特許文献】
【００１８】
【特許文献１】欧州特許第２２０４２０６号明細書
【特許文献２】米国特許出願公開第２００８／０２８３１６９号明細書
【発明の概要】
【００１９】
本発明は、サイドウォール及びマーキングを有するゴム状材料で作られているタイヤに関する。マーキングは、サイドウォール中に引っ込んだ状態で設けられたハウジング内に位置決めされている。タイヤは、１平方ミリメートル（ｍｍ2）当たり少なくとも５本のストランドに等しい密度で分布して設けられた複数のストランドを含むテキスチャを有し、各ストランドは、０．０００７ｍｍ2〜０．０６ｍｍ2の平均断面積を有すると共に／或いはテキスチャは、複数の実質的に相互に平行な板状体を含み、板状体の相互間隔は、多くとも０．５ｍｍであり、各板状体は、０．０３ｍｍ〜０．３ｍｍの平均幅を有する。テキスチャは、ハウジング内のマーキングの全て又は一部を包囲している。
【００２０】
マーキングを包囲すると共にストランド又は板状体によって形成されたテキスチャは、多くの利点をもたらす。一方において、このテキスチャにより、サイドウォールに当たった入射光線の全て又は何割かが「捕捉状態」になることができる。これにより、マーキングの周りの領域に暗い外観を与えることができ、それによりそのコントラストを高め、従ってサイドウォールの残部に対するその視認性を高めることができる。他方、この特別なテキスチャにより、サイドウォールに対して感じの良い「ベロア」状の風合いを提供することができる。最後に、用いられるテキスチャは、疎水性を有し、このことは、マーキングが設けられているハウジングから水、ダスト又は泥が出るのが容易であるということを意味している。かくして、経時的なタイヤサイドウォール上のマーキングの視認性が保たれる。
【００２１】
実施形態の一変形形態では、テキスチャのストランド又はテキスチャの板状体は、タイヤのサイドウォールと面一をなして終端している。
【００２２】
このように、これらストランド又はこれら板状体は、タイヤのサイドウォールの延長部をなす。タイヤサイドウォールの全体的な視覚的印象がかくして向上する。
【００２３】
実施形態の別の変形形態では、テキスチャのストランド又はテキスチャの板状体は、ハウジング内に引っ込んだ状態で設けられている。
【００２４】
ハウジングは、テキスチャに対して保護をもたらす。この場合、これにより、このテキスチャの耐久性が向上する。
【００２５】
実施形態の別の変形形態では、テキスチャのストランド又はテキスチャの板状体は、タイヤのサイドウォールを越えて突き出ている。
【００２６】
テキスチャのストランド又は板状体の突き出て現れている部分は、これらがほっそりとしているために或る程度の可撓性を有する。テキスチャが擦りを受けると、これらストランド又はこれら板状体は、変形し、それによりこの擦りの力のうちの何割かを吸収する。このように、マーキングは、摩耗に対して保護され、より耐久性がある状態になる。さらに、テキスチャのストランド又は板状体がタイヤのサイドウォールを越えて突き出ているということにより、テキスチャの触感的効果の全体的な向上が得られる。
【００２７】
好ましい一実施形態では、テキスチャのストランドのうちの一部又はテキスチャの板状体のうちの一部は、タイヤのサイドウォールを越えて突き出ており、ストランドのうちの別の一部又は板状体のうちの別の一部は、ハウジング内に引っ込んだ状態で設けられている。
【００２８】
これにより、テキスチャの保護とマーキングの保護の良好な釣り合いを取ることができる。
【００２９】
本発明の他の特徴及び他の利点は、添付の図面を参照して非限定的な例として与えられる以下の説明から明らかになろう。
【図面の簡単な説明】
【００３０】
【図１】タイヤサイドウォール及びこのサイドウォール上に存在するマーキングの概略斜視図である。
【図２】本発明の第１の実施形態に従ってサイドウォール上に存在するマーキングを包囲したテキスチャの図１のＸ‐Ｘ線矢視断面図である。
【図３】本発明の第２の実施形態に従ってサイドウォール上に存在するマーキングを包囲したテキスチャの図１のＸ‐Ｘ線矢視断面図である。
【図４】本発明の第３の実施形態に従ってサイドウォール上に存在するマーキングを包囲したテキスチャの図１のＸ‐Ｘ線矢視断面図である。
【図５】サイドウォールが擦られたときの図４のテキスチャの状態を示す図である。
【図６】本発明の第４の実施形態に従ってサイドウォール上に存在するマーキングを包囲したテキスチャの図１のＸ‐Ｘ線矢視断面図である。
【図７】図１のマーキングを包囲し且つストランドから成るテキスチャの略図である。
【図８】図１のマーキングを包囲し且つ板状体から成るテキスチャの略図である。
【発明を実施するための形態】
【００３１】
以下の説明において、同一又は実質的に同一の要素は、同一の符号で示される。
【００３２】
図１は、タイヤ１のサイドウォール３を示している。このタイヤサイドウォールは、ハウジング７内に位置決めされたマーキング５を有している。このハウジング７は、サイドウォール内に引っ込んだ状態で設けられている。タイヤは、ハウジング内のマーキング５を包囲したテキスチャ９を更に有する。図１の実施例では、マーキングは、テキスチャ９によって完全に包囲されている。変形例として、このマーキング５は、このテキスチャ９によって部分的に包囲されていても良い。注目されるように、テキスチャとマーキングは、ここでは違いが非常に明瞭である。確かに、テキスチャは、マーキングを形成せず、サイドウォール上のこのマーキングの視認性を向上させるようマーキングを包囲している。
【００３３】
加うるに、テキスチャ９は、図７に示されているように複数のストランド１１から成る。この図では、ストランド１１は、これらストランドの高さＨｂに沿って減少する断面を備えた円錐形の全体的形状を有している。具体的に説明すると、ストランドの基部から上方に一定間隔で測定された断面積Ｓの平均値に一致した各ストランドの平均断面積は、０．０００７ｍｍ2〜０．０６ｍｍ2である。テキスチャ９では、ストランドは、１平方ミリメートル当たり少なくとも５本のストランドに等しい密度で分布して設けられている。
【００３４】
実施形態の変形形態では、テキスチャ９は、図８に示されているように複数の板状体１３から成る。この図では、板状体１３は、三角形の全体的断面を有し、板状体の高さＨｌに沿って一定間隔で測定された幅ｌの平均値に一致した各板状体の平均幅は、０．０３ｍｍ〜０．３ｍｍである。テキスチャ９では、板状体１３は、実質的に相互に並行であり、板状体の間隔Ｐは、多くとも０．５ｍｍに等しい。
【００３５】
実施形態の別の変形形態では、テキスチャ９は、ストランド１１と板状体１３の組み合わせから成る。
【００３６】
図２は、本発明の第１の実施形態に従ってマーキング５を包囲したテキスチャの断面図である。このテキスチャは、ストランド１１及び／又は板状体１３から成るのが良い。
【００３７】
具体的に説明すると、テキスチャのストランド１１又はテキスチャの板状体１３は、この場合、タイヤのサイドウォール３と面一をなして終端しており、このことは、これらストランド１１の先端又はこれら板状体１３の先端がハウジング７の上方でサイドウォール３の延長部をなす高さ位置６と同一の高さ位置のところに位置しているということを意味している。
【００３８】
図３に見える実施形態の変形形態では、テキスチャのストランド１１又はテキスチャの板状体１３は、サイドウォール３のハウジング７内に引っ込んだ状態で設けられており、このことは、これらストランド１１の先端又はこれら板状体１３の先端がサイドウォールの延長部をなす高さ位置６の下に位置することを意味している。
【００３９】
図４に見える実施形態の別の変形形態では、テキスチャのストランド１１又はテキスチャの板状体１３は、タイヤのサイドウォール３を越えて突き出ており、このことは、これらストランド１１の先端又はこれら板状体１３の先端がサイドウォールの延長部をなす高さ位置６を越えて突き出ているということを意味している。タイヤサイドウォールがテキスチャの付近で擦られた場合、ストランド１１又は板状体１３が図５で理解できるように撓み、それによりこの擦れの力の全て又は何割かを吸収する。
【００４０】
図６に見える実施形態の別の変形形態では、テキスチャのストランド１１のうちの一部又はテキスチャの板状体１３のうちの一部は、タイヤのサイドウォール３を越えて突き出ており、これらストランド１１のうちの別の一部又はこれら板状体１３のうちの別の一部は、ハウジング内に引っ込んだ状態で設けられている。好ましくは、ストランド１１又は板状体１３のうちの少なくとも５０％がサイドウォール３を越えて突き出ている。
【００４１】
本発明は、図示すると共に説明した実施例には限定されず、本発明の範囲から逸脱することなく、かかる実施例の種々の改造が可能である。
【００４２】
図２〜図４及び図８では、マーキング５は、ハウジング７の底部から突き出ると共にサイドウォール３と面一をなした状態で終端した状態で示されている。変形例として、マーキング５の高さは、マーキングがハウジング７内で引っ込んだ状態で位置するようハウジング７の深さよりも小さいのが良い。
【００４３】
さらに、タイヤサイドウォールは、他のマーキングを有するのが良く、これら他のマーキングは、これら他のマーキングの周りに本発明と関連して説明したテキスチャを備えない。
【００４４】
加うるに、図１では、テキスチャ９は、ハウジング７を完全に埋めた状態で示されている。変形例として、このテキスチャ９は、マーキング５の周りでハウジング７のほんの一部に存在する。
【００４５】
最後に、図８の板状体１３は、不連続であっても良い。これら板状体は、更に、互いに異なる断面を有しても良い。
【図１】
2016521661.tif 000003
【図２】
2016521661.tif 000004
【図３】
2016521661.tif 000005
【図４】
2016521661.tif 000006
【図５】
2016521661.tif 000007
【図６】
2016521661.tif 000008
【図７】
2016521661.tif 000009
【図８】
2016521661.tif 000010
【国際調査報告】
2016521661.tif 000011
2016521661.tif 000012
2016521661.tif 000013
2016521661.tif 000014